(57)【特許請求の範囲】
【請求項１】
使用者の目元に供給するためのミストを発生するミスト発生手段と、装着時に使用者の目元に当接する当接面が形成された当接部材とを備え、該当接部材には装着時に使用者の目の周囲の肌に開口縁部を密着させることで使用者の目元との間にミストを浮遊させる空間域を形成可能な凹部が前記ミスト発生手段から放出されるミストを受け容れ可能に形成されており、
前記当接面に熱を伝達するヒータを備え、
前記当接部材は、前記当接面となる部分の厚みが該当接面となる部分以外の厚みよりも薄く形成され、
前記当接面は、使用者の目の下側の肌に当接するとともに押圧力を付与可能な一対の凸部を備え、
前記ヒータには、前記当接面とは反対側の面であって前記一対の凸部と対向する位置に面接触する一対の面状部が設けられており、
前記ヒータは、前記凸部を介して使用者の目の下側の肌を温める
ことを特徴とする目元用美容器具。
【請求項２】
前記当接部材は、少なくとも前記開口縁部の周縁部分が弾性材料により形成されていることを特徴とする請求項１に記載の目元用美容器具。
【請求項３】
前記当接部材が弾性材料により形成されると共に、該当接部材における全体形状を予め設定した形状からの変形を規制するように保持する剛性材料からなる変形規制部材を備えたことを特徴とする請求項１に記載の目元用美容器具。
【請求項４】
前記変形規制部材には、前記当接部材を使用者の目元に当接した状態に固定するための固定部材が設けられていることを特徴とする請求項３に記載の目元用美容器具。
【発明の詳細な説明】
【技術分野】
【０００１】
本発明は、使用者の目元の美容を図る目元用美容器具に関する。
【背景技術】
【０００２】
従来、目元の美容を図る目元用美容器具の一種として、使用者の目元を覆うように装着された状態において温かい水蒸気を発生させるようにしたアイマスク仕様の水蒸気発生体が知られている（例えば、特許文献１参照）。
【０００３】
すなわち、特許文献１の水蒸気発生体では、金属粉の酸化熱などの化学的エネルギーを利用して不織布などに含浸させた水を加熱することにより温かい水蒸気を発生させ、その水蒸気を使用者の目及び目の周囲に供給して目元の乾燥防止を図っている。
【先行技術文献】
【特許文献】
【０００４】
【特許文献１】特開２０００−５２０９号公報
【発明の概要】
【発明が解決しようとする課題】
【０００５】
ところで、上記特許文献１の水蒸気発生体では、アイマスク状に形成された透湿性袋体に水蒸気発生部を設け、その透湿性袋体を目元に当てた状態で水蒸気発生部から水蒸気を使用者の目元側に放出させている。しかしながら、こうした透湿性袋体を使用者の目元に当てただけの状態では、放出された水蒸気が目元以外の外部に漏れてしまうことがあり、目元の美容を図るという観点からは改善が要請されていた。
【０００６】
本発明はこのような事情に鑑みてなされたものであり、その目的は、目元の美容を図るために目元に対してミストを無駄なく安定的且つ確実に供給することができる目元用美容器具を提供することにある。
【課題を解決するための手段】
【０００７】
上記目的を達成するために、本発明に係る目元用美容器具は、使用者の目元に供給するためのミストを発生するミスト発生手段と、装着時に使用者の目元に当接する当接面が形成された当接部材とを備え、該当接部材には装着時に使用者の目の周囲の肌に開口縁部を密着させることで使用者の目元との間にミストを浮遊させる空間域を形成可能な凹部が前記ミスト発生手段から放出されるミストを受け容れ可能に形成されており、前記当接面に熱を伝達するヒータを備え、前記当接部材は、前記当接面となる部分の厚みが該当接面となる部分以外の厚みよりも薄く形成され、前記当接面は、使用者の目の下側の肌に当接するとともに押圧力を付与可能な一対の凸部を備え、前記ヒータには、前記当接面とは反対側の面であって前記一対の凸部と対向する位置に面接触する一対の面状部が設けられており、前記ヒータは、前記凸部を介して使用者の目の下側の肌を温める。
【０００９】
また、本発明に係る目元用美容器具において、前記当接部材は、少なくとも前記開口縁部の周縁部分が弾性材料により形成されている。
【００１０】
また、本発明に係る目元用美容器具は、前記当接部材が弾性材料により形成されると共に、該当接部材における全体形状を予め設定した形状からの変形を規制するように保持する剛性材料からなる変形規制部材を備えた。
【００１１】
また、本発明に係る目元用美容器具において、前記変形規制部材には、前記当接部材を使用者の目元に当接した状態に固定するための固定部材が設けられている。
【発明の効果】
【００１２】
本発明によれば、目元の美容を図るために目元に対してミストを無駄なく安定的且つ確実に供給することができる。
【図面の簡単な説明】
【００１３】
【図１】実施形態の目元用美容器具を使用者が装着した状態を示す斜視図。
【図２】目元用美容器具の平面図。
【図３】同じく、その正面図。
【図４】同じく、その背面図。
【図５】同じく、その分解斜視図。
【図６】図２における６−６線矢視断面図。
【図７】液体保持部材の斜視図。
【図８】図７における８−８線矢視一部破断面図。
【図９】当接部材における当接面形成部近傍の模式断面図。
【図１０】目元用美容器具の制御ブロック図
【図１１】装着バンドなしの場合の器具装着状態の模式図。
【図１２】装着バンドありの場合の器具装着状態の模式図。
【図１３】（ａ）〜（ｃ）は、実施形態における振動リズムの説明図。
【図１４】（ａ）〜（ｄ）は、別の実施形態における液体保持手段の説明図。
【図１５】（ａ）〜（ｄ）は、別の実施形態における振動リズムの説明図。
【図１６】別の実施形態における目元用美容器具の装着状態の斜視図。
【発明を実施するための形態】
【００１４】
以下、本発明を具体化した一実施形態について図１〜図１３を参照しながら説明する。なお、以下の説明において、「前後方向」「左右方向」「上下方向」をいう場合は、目元用美容器具を目元に装着した使用者を基準とした際の「前後方向」「左右方向」「上下方向」をいうものとする。
【００１５】
図１〜図５に示すように、本実施形態の目元用美容器具（以下、「器具」と略すこともある）１１は、装着時に使用者の目元に当接する弾性材料からなる当接部材１２と、その当接部材１２の前面に取り付けられる剛性材料からなる外郭ケース１３とを備えている。当接部材１２は、使用者の目元を被覆可能なアイマスク形状に形成されると共に、装着時に使用者の目元に当接する後面である当接面１４には左右対称形状をなす凹部１５が形成されている（図４参照）。この凹部１５は、図４に示すように、器具１１の装着状態で使用者の両目の部分と各々対向することになる左右一対の前方へ窪んだ領域部分を使用者の鼻梁と対応する中央位置で繋いだ左右対称形状をしている。
【００１６】
そして、器具１１の装着時において使用者の目元に当接部材１２の当接面１４が当接する際には、特に使用者の目の周囲の肌に対して、当接部材１２における凹部１５の開口縁部１６が密着するようになっている。すなわち、使用者の目の周囲の肌に凹部１５の周縁である開口縁部１６が密着することにより、その凹部１５の内面と使用者の目元との間に鼻梁と対応する箇所でのみ僅かな隙間を介して外部に連通する略閉空間の空間域Ｓ（図６参照）が形成されるようになっている。なお、図３に示すように、当接部材１２において器具１１の装着時に使用者の目の下側の肌（すなわち、疲れると隈ができやすい箇所）に当接する当接部位（開口縁部１６の一部）は、その当接時に肌に対して押圧力を付与可能な凸部１７に形成されている。
【００１７】
また、図４に示すように、当接部材１２における凹部１５の内奥には、凹部１５の開口縁部１６の内縁形状に略対応した外縁形状をなす嵌合部材１８が着脱可能に嵌め込まれている。嵌合部材１８の後面側（図４では手前側）には、嵌合部材１８の外縁形状に沿った開口形状の嵌入部１８ａが形成され、その嵌入部１８ａの内奥には、嵌入部１８ａの内縁形状に略対応した外縁形状のフレーム部材１９が着脱可能に嵌め込まれている。
【００１８】
一方、外郭ケース１３の左右両端部にはフック部２０が各々形成されている。そして、これらのフック部２０には必要に応じてゴムバンド等の装着バンド２１が引っ掛けられるようになっている。すなわち、図１に示すように、使用者は、器具１１の当接部材１２を目元に当接させた状態で装着バンド２１を後頭部に掛けることにより、顔を仰向けにした姿勢以外でも器具１１が目元から落ちないようにできる。この点で、装着バンド２１は、当接部材１２を使用者の目元に当接した状態に固定するための固定部材として機能する。なお、図２〜図５では装着バンド２１の図示を省略している。
【００１９】
また、外郭ケース１３の上面は、有色透明で略三日月形状をなす操作パネル２２により構成されると共に、その操作パネル２２には、左右一対のスイッチ２３，２４が設けられている。すなわち、器具１１の装着時に使用者から見て左側となる第１スイッチ２３は、ミストを発生させる際に操作されるスイッチであって、これがオン操作された場合には、器具１１内部のミスト発生機構２５（図５及び図６参照）でミストが発生することになる。そして、その発生したミストが当接部材１２の凹部１５内に放出されると、この凹部１５の内面と目元との間の略閉空間の空間域Ｓ内をミストが目元側へ浮遊するように移動し、使用者の目元の保湿を図るようになっている。
【００２０】
また、器具１１の装着時に使用者から見て右側となる第２スイッチ２４は、振動を発生させる際に操作されるスイッチであって、これがオン操作された場合には、器具１１内部の振動モーター２６（図５及び図６参照）が所定のリズムで振動するようになっている。因みに、本実施形態では、偏心させた分銅を回転させることで微振動を発生させるモーターにより、振動手段としての振動モーター２６が構成されている。そして、振動モーター２６で発生した振動は、弾性材料からなる当接部材１２を介して使用者の目元側に伝達されることによりソフトな心地よい振動となって使用者の目元をマッサージし、使用者の目元の血行促進を図るようになっている。
【００２１】
なお、図３において破線で示すように、振動モーター２６は、器具１１内部において、その振動が剛性材料からなる外郭ケース１３を経由することなく弾性材料の当接部材１２に伝達されるように、正面視において外郭ケース１３から外れた位置に設けられている。すなわち、振動モーター２６で発生した振動は、剛性材料からなる外郭ケース１３を経由すると、使用者の目元に伝達されるまでに減衰してしまう虞があるが、本実施形態では、かかる外郭ケース１３を経由しないので減衰することなく使用者の目元まで伝達される。
【００２２】
換言すると、剛性材料からなる外郭ケース１３は、振動モーター２６から当接部材１２への振動の伝達を阻害しないようにすべく、当接部材１２の前面側において振動モーター２６から当接部材１２に対する振動の伝達経路から外れた位置に取り付けられている。すなわち、外郭ケース１３は、当接部材１２における使用者の目元に対する当接面１４とは反対側となる前面側から当接部材１２に取り付けられることにより、弾性材料からなる当接部材１２をその全体形状が予め設定した形状から変形しないように保持している。この点で、外郭ケース１３は当接部材１２の変形を規制する変形規制部材として機能する。
【００２３】
図５に示すように、目元用美容器具１１は、既述した当接部材１２の前後両側に多数の構成部材が主として前後方向において重なるように組み付けられた状態で螺子２７などにより締め付け固定された構成をしている。すなわち、当接部材１２の後側にはミスト発生機構（ミスト発生手段）２５を構成する複数の構成部材が組み付けられる一方、当接部材１２の前側には振動付与機構（振動手段）２８を構成する複数の構成部材が組み付けられている。さらに、当接部材１２の前側において、振動付与機構２８よりも更に前側には駆動制御機構２９を構成する複数の構成部材が外郭ケース１３により前面側を被覆されるようにして組み付けられている。
【００２４】
まず、ミスト発生機構２５について説明する。
図５及び図６に示すように、ミスト発生機構２５は、加熱手段及びミスト生成手段として機能するミスト発生用のヒーター部材である第１ヒーター３０、既述した嵌合部材１８、液体保持部材３１及び既述したフレーム部材１９を備えている。嵌合部材１８は、その後面側に形成された嵌入部１８ａの底壁部１８ｂの外面（前面）に第１ヒーター３０が接合固定される一方、その底壁部１８ｂの内面（後面）に接触するように液体保持部材３１が嵌入部１８ａ内に着脱可能に嵌め込まれる。また、この液体保持部材３１に対して後側から当接するようにフレーム部材１９が嵌入部１８ａの内奥に嵌め込まれる。
【００２５】
そして、このように前面側に第１ヒーター３０が組み付けられる一方、後面側に液体保持部材３１及びフレーム部材１９が組み付けられた嵌合部材１８が、当接部材１２の後面側の凹部１５内に対して着脱可能に嵌め込まれるようになっている。また、嵌合部材１８の嵌入部１８ａ内において、液体保持部材３１は、フレーム部材１９が後側から当接することにより、嵌入部１８ａ内からの抜け止めが図られている。
【００２６】
図５〜図８に示すように、液体保持部材３１は、嵌合部材１８における嵌入部１８ａの内縁形状に略対応した外縁形状をなす金属板であって、液体としての水を表面張力により保持可能な多数の小さな孔３２が表裏両面を貫通するように形成されている。すなわち、液体保持部材３１は、その液体保持部材３１が嵌め込まれた嵌合部材１８を当接部材１２の凹部１５内に嵌め込んだ器具１１が使用者の目元に装着されたとき、その使用者の目と対向することになる位置（領域）に多数の孔３２が形成されている。換言すると、本実施形態の液体保持部材３１では、器具１１の装着時に使用者の目と対向することになる目対向領域３３が、形成された孔３２の数が密の領域となり、この目対向領域３３以外の周辺領域が、形成された孔３２の数が粗（本実施形態ではゼロ）の領域となる。
【００２７】
図８に示すように、液体保持部材３１における各孔３２は、器具１１の装着時に使用者の目元と対向することになる対向面３１ａ側の開口の大きさと、その反対側の面であって第１ヒーター３０からの熱を受ける受熱面３１ｂ側の開口の大きさとが異なっている。すなわち、本実施形態では、液体保持部材３１における各孔３２は対向面３１ａ側の開口の方が受熱面３１ｂ側の開口よりも開口面積が小さくなるように形成されている。そして、本実施形態では、この多孔構造の液体保持部材３１により、液体としての水を保持する液体保持手段が構成されている。
【００２８】
なお、液体保持部材３１における各孔３２は液体としての水を表面張力により保持可能な小孔として形成されるため、その開口径は０．５ｍｍ〜６ｍｍ程度の大きさとされる。そして、図６に示すように、第１ヒーター３０、液体保持部材３１及びフレーム部材１９を組み付けた嵌合部材１８が当接部材１２の凹部１５内に嵌め込まれた状態において第１ヒーター３０が発熱すると、その熱で液体保持部材３１が加熱されるようになっている。
【００２９】
そして、その際には、液体保持部材３１の各孔３２に保持されている水が加熱されることでミスト化し、各孔３２における対向面３１ａ側の開口から温かいミスト（霧状液体）となって凹部１５内に放出され、使用者の目元に向けて供給されるようになっている。この点で、液体保持部材３１における対向面３１ａは、使用者の目元に向けてミストを放出するミスト放出部として機能する。
【００３０】
なお、液体保持部材３１において全ての孔３２に表面張力で保持可能な水の保持量は、第１ヒーター３０の加熱により発生するミスト量と同じか、又は発生するミスト量よりも僅かに多い量に設定されている。すなわち、１回の加熱でミストを発生させた後において液体保持部材３１の孔３２内に雑菌の繁殖要因となる水を残さない設計となっている。
【００３１】
次に、振動付与機構２８について説明する。
図５及び図６に示すように、振動付与機構２８は、熱付与手段として機能する肌温熱用のヒーター部材である第２ヒーター３４、例えば発泡ウレタン等の弾性部材である断熱材３５、既述の振動モーター２６、モーターケース３６及び内郭ケース３７を備えている。第２ヒーター３４及び断熱材３５は使用者の目の周囲と対応した左右対称の形状をなしていると共に、モーターケース３６は前後で対をなす半割り形状をなし、内郭ケース３７は使用者の目元と対応した当接部材１２の前面の一部を被覆可能な形状をなしている。そして、当接部材１２の前面側に、第２ヒーター３４、断熱材３５、モーターケース３６及び内郭ケース３７の順番で組み付けられるようになっている。
【００３２】
そして、図６に示すように、当接部材１２の前面側に第２ヒーター３４、断熱材３５、モーターケース３６に収納された振動モーター２６及び内郭ケース３７が組み付けられた状態で第２ヒーター３４が発熱した場合、当接部材１２が加熱されるようになっている。具体的には、当接部材１２において器具１１の装着時に使用者の目元に当接する当接面１４となる当接面形成部３８が、その当接面形成部３８に対して前面側から面接触する面状ヒーター構成の第２ヒーター３４から熱を付与される。
【００３３】
図６に示すように、当接部材１２は、当接面形成部３８の肉厚が、この当接面形成部３８を周りから支えるように当接面形成部３８の厚さ方向にリブ状に延びる他の部分の肉厚よりも薄く形成されている。すなわち、当接面形成部３８を薄肉に形成することにより、第２ヒーター３４から付与される熱が効率良く使用者の肌に伝わると共に、当接部材１２で使用者の目元を覆うときの当接面１４の肌に対する密着性が向上するようにしている。本実施形態では、当接面形成部３８の肉厚が０．５ｍｍとされる一方で、その他の部分の肉厚が１．５ｍｍとされている。
【００３４】
図９に示すように、第２ヒーター３４は、前後一対の絶縁層３９により発熱抵抗体４０が挟持された構造をなし、その後面側（当接部材１２の当接面形成部３８側）には熱拡散部材としてのアルミ層４１が当接面形成部３８との間に挟まれるように設けられている。このアルミ層４１は第２ヒーター３４から付与される熱を当接部材１２の当接面形成部３８側に熱拡散させて伝えるように機能する。その一方、第２ヒーター３４の前面側には断熱材３５が位置するため、第２ヒーター３４からの熱が振動モーター２６側に悪影響を及ぼす虞は断熱材３５により抑制される。
【００３５】
次に、駆動制御機構２９について説明する。
図５及び図６に示すように、駆動制御機構２９は、内郭ケース３７と外郭ケース１３との間に収容される電池基台４２、その電池基台４２にセットされる蓄電池４３、スペーサパネル４４、及び回路基板４５を主要構成部材として構成されている。蓄電池４３は充電可能な構成であって、その充電時には外郭ケース１３の前面右側下部に着脱自在とされた充電プラグカバー４６を外すことにより、図示しない充電プラグを介して充電されるようになっている。なお、電源としては、蓄電池（充電池）４３以外に、乾電池や商用電源を使用することもできる。
【００３６】
図１０に示すように、回路基板４５には、蓄電池４３から供給される電力を調整可能な電源回路４７及び制御手段として機能する制御回路４８が設けられている。制御回路４８は、電源回路４７から第１ヒーター３０及び第２ヒーター３４並びに振動モーター２６に電力供給する配電経路上に位置し、第１スイッチ２３及び第２スイッチ２４から操作信号が入力されるようになっている。そして、第１スイッチ２３及び第２スイッチ２４からの操作信号の入力に基づき、電源回路４７からの電力供給状態を制御することにより、第１ヒーター３０及び第２ヒーター３４の発熱状態、並びに振動モーター２６の駆動状態を制御可能とされている。
【００３７】
次に以上のように構成された本実施形態の目元用美容器具１１の使用方法及びその作用について説明する。
さて、使用者が目元の美容を図るために目元用美容器具１１を使用する際には、図１に示すように、その器具１１を当接部材１２が目元を覆う状態となるように装着する。その際、装着バンド２１をフック部２０に掛けていない場合には、図１１に示すように、当接部材１２の当接面１４の一部から膨出した凸部１７を目の下側の肌５０に当接させた状態で、例えば顔を仰向けにする等して、器具１１を目元の上に保持する。
【００３８】
このとき、当接部材１２は弾性材料からなるため、例えば中央部分で折れ曲がる等して変形する虞がある。しかし、本実施形態では、剛性材料からなる外郭ケース１３が当接部材１２の前面側に取り付けられているため、当接部材１２はアイマスク形状からの変形が規制され、使用者の目元を被覆可能な全体形状が保持される。また、その状態において、当接部材１２の当接面１４と目元の肌５０との密着性を上げるためには、図１１に示す状態において外郭ケース１３を把持し、器具１１を肌５０側に押圧する。
【００３９】
すると、装着バンド２１を使用した場合を示す図１２のように、当接部材１２は、当接面１４が肌５０に密着するように弾性変形すると共に、凸部１７が目の下側の肌５０に押圧力を付与した状態で当接する。また、このとき、当接部材１２における凹部１５の開口縁部１６は、目の周囲の肌５０に密着するため、この凹部１５の内面と使用者の目元の肌５０との間には略閉空間の空間域Ｓが形成される。
【００４０】
なお、フック部２０に装着バンド２１を掛けている場合には、図１２に示すように、装着バンド２１の締め付け力により、器具１１は当接部材１２における当接面１４、凸部１７及び開口縁部１６が目元側の対応する肌５０の各部分に密着した状態となる。そして、そのように当接部材１２を使用者の目元の肌５０に密着させた状態で、第１スイッチ２３がオン操作されると、ミストが発生して目元に供給されると共に、第２スイッチ２４がオン操作されると、振動が発生して目元がマッサージされる。
【００４１】
まず、第１スイッチ２３がオン操作された場合の作用について説明する。
さて、第１スイッチ２３がオン操作されると、制御回路４８が電源回路４７を制御し、電源回路４７から第１ヒーター３０及び第２ヒーター３４に対する各通電が開始される。すると、ミスト発生機構２５では、第１ヒーター３０が発熱し、その熱で液体保持部材３１の孔３２に保持されている水が加熱される。すると、その加熱に伴い孔３２内から水が蒸気化して温かいミストが発生し、その温ミストが液体保持部材３１におけるミスト放出部としての対向面３１ａから凹部１５内の空間域Ｓに放出される。すなわち、電気的エネルギーの利用により、水（液体）がミスト化される。
【００４２】
なお、その際、液体保持部材３１においてミスト化する水を保持する多数の孔３２は、器具１１の装着時に使用者の目元と対向することになる目対向領域３３に集中的に形成されているため、使用者の目元に向けて集中的にミストが供給されるようになる。また、各孔３２は、受熱面３１ｂ側の開口よりも対向面３１ａ側の開口の方が開口面積を小さくした断面テーパー形状であるため、各孔３２内に表面張力で保持された水は、ミスト放出部となる対向面３１ａ側における孔３２内面との接触率が高まる。そのため、第１ヒーター３０により温められた液体保持部材３１との熱交換面積が対向面３１ａ側（ミスト放出部）で広く確保されるため、水の蒸気化効率も高まり、第１ヒーター３０が発熱してから温ミストが発生するまでの時間が短縮される。
【００４３】
その後、放出された温ミストは、略閉空間の空間域Ｓ内を浮遊しながら使用者の目元側に移動する。すなわち、ミスト放出部としての対向面３１ａと目元の肌５０との間には、温ミストを浮遊させて移動させる空間域Ｓが介在しているため、水から蒸気化して対向面３１ａから放出された直後の高温の温ミストが、直接的に目元の肌５０に吹き付けられることはない。そして、空間域Ｓ内を浮遊しながら目元側に移動した温ミストは、その目元の肌５０に付着する。その結果、適温の温ミストが使用者の目元の肌５０を適度に保湿するので、使用者の目元の乾燥抑制、キメ向上、及び目の疲労回復が図られるようになる。
【００４４】
なお、制御回路４８は、快適な温ミストを発生させるため、ミスト温度が３５度〜４５度（望ましくは３９度〜４４度）の範囲、ミスト量が１０ｍｇ〜１００ｍｇ／分（望ましくは１０ｍｇ〜６０ｍｇ／分）の範囲となるように、第１ヒーター３０を通電制御する。また、電気的エネルギーの節約及び低温やけどの回避を図るため、第１ヒーター３０に対する通電は、通電開始から所定時間（本実施形態では一例として１０分）が経過すると、制御回路４８の制御により遮断される。
【００４５】
一方、第２ヒーター３４が発熱すると、その熱により当接部材１２の当接面形成部３８が温められ、その当接面形成部３８における目元側の当接面１４から使用者の目元に温熱が付与される。すなわち、当接面１４から付与される温熱で目元の肌５０が温められ、血行の促進が図られる。しかも、当接面１４を形成する当接面形成部３８は肉厚が薄いために肌５０に対する密着性及び熱伝導効率が良く、目元の肌５０は速やかに温められる。
【００４６】
また、その際において、第２ヒーター３４から当接部材１２の当接面形成部３８に対しては、熱伝導率が相対的に高く、熱拡散効果の期待できる熱拡散部材としてのアルミ層４１を介して熱伝導がなされる。そのため、当接面形成部３８全体が万遍なく温められ、使用者の目元の肌５０と当接する当接面１４は広範囲に亘って均一に温められる。さらに、第２ヒーター３４からの熱は、当接部材１２側とは反対側の前方に向けても伝わるが、第２ヒーター３４の前面側には断熱材３５が介在している。そのため、その断熱材３５の前面側に位置する振動モーター２６が熱影響を受けて作動不良などになるという虞が回避される。
【００４７】
なお、この第２ヒーター３４に対する通電制御も、第１ヒーター３０に対する通電制御の場合と同様に、目元の肌５０に当接する当接面１４の当接面形成部３８が適温（３５度〜４５度（望ましくは３９度〜４４度）の範囲）となるように、制御回路４８により通電制御される。また、第１ヒーター３０に対する場合と同様に、この第２ヒーター３４に対する通電も、電気的エネルギーの節約及び低温やけどの回避を図るため、通電開始から所定時間（本実施形態では一例として１０分）が経過すると、制御回路４８の制御により遮断される。
【００４８】
次に、第２スイッチ２４がオン操作された場合の作用について説明する。
さて、第２スイッチ２４がオン操作されると、制御回路４８が電源回路４７を制御し、電源回路４７から振動モーター２６への通電が開始される。すると、振動付与機構２８では、振動モーター２６が回転駆動し、その回転駆動に伴い振動が発生する。すると、その振動が弾性部材である断熱材３５に伝わり、その断熱材３５から減衰することなく面状の第２ヒーター３４を通過して当接部材１２の当接面形成部３８に伝わる。
【００４９】
その後、この振動は、弾性材料で薄肉に形成された当接面形成部３８の当接面１４から使用者の目元の肌５０に対して適度なマッサージ効果を伴って伝達され、目元の血行促進に寄与する。しかも、その際において特に隈のできやすい目の下側の肌５０の部分には、当接部材１２における凸部１７が押圧するように当接しているため、この目の下側の肌５０の部分に対するマッサージ効果が高まって隈の解消に寄与する。
【００５０】
また、振動モーター２６から当接部材１２の当接面１４を介して使用者の目元に向けて伝達される振動は、その振動伝達経路の途中に剛性材料からなる外郭ケース１３が位置していないため、不必要に減衰されることなく、使用者の目元まで伝達される。しかも、その振動伝達経路上には、弾性部材の断熱材３５、可撓性を有する面状ヒーターの第２ヒーター３４と薄層状のアルミ層４１、及び弾性材料からなる当接部材１２における薄肉状の当接面形成部３８が位置するので、弾力的に程よい振動状態となって伝わる。
【００５１】
さらに、本実施形態の場合は、図１３（ａ）〜（ｃ）に示すように、振動モーター２６の振動状態（振動リズム）が、複数種類の振動パターンの組み合わせとなるように、制御回路４８により多様に通電制御される。なお、図１３（ａ）は、振動モーター２６の振動状態が第１強弱パターンと第２強弱パターンと強弱変化のない単調パターン（パルス周期：１ｓｅｃ、パルス幅：５０ｍｓｅｃ）との組み合わせであることを示している。また、図１３（ｂ）は第１強弱パターンの場合のパルス挙動Ｐと、そのパルス挙動Ｐにより変動する振動強度Ｇの経時的変化を示し、図１３（ｃ）は第２強弱パターンの場合のパルス挙動Ｐと、そのパルス挙動Ｐにより変動する振動強度Ｇの経時的変化を示している。
【００５２】
さて、第２スイッチ２４がオン操作されると、制御回路４８が電源回路４７を制御し、振動モーター２６に対する通電のオン・オフ時間（電圧パルス幅及びパルス間隔）が次のように制御される。すなわち、図１３（ａ）に示すように、まず第１強弱パターンの振動状態となるように、電源回路４７から振動モーター２６に供給される電圧のパルス挙動Ｐが制御される。具体的には、図１３（ｂ）に示すように、パルス間隔が２５０ｍｓｅｃであって、各パルスのパルス幅が最初は狭いが途中で広くなって最後は最初と同様に狭くなるという繰り返しで、振動強度Ｇがゆっくりと強弱変化するパルス挙動Ｐに制御される。
【００５３】
そして、図１３（ｂ）に示す第１強弱パターンに対応した通電制御を２分間行なうと、次には、第２強弱パターンの振動状態となるように、電源回路４７から振動モーター２６に供給される電圧のパルス挙動Ｐが制御される。具体的には、図１３（ｃ）に示すように、パルス間隔が５００ｍｓｅｃであって、各パルスのパルス幅が最初は狭いが途中で広くなって最後は最初と同様に狭くなるという繰り返しで、振動強度Ｇが更にゆっくりと強弱変化するパルス挙動Ｐに制御される。
【００５４】
そして、この第２強弱パターンに対応した通電制御が２分間行なわれると、次には第１強弱パターンに対応した２回目の通電制御が２分間行なわれる。そして更に、この第１強弱パターンに対応した通電制御が２分間行なわれると、次には第２強弱パターンに対応した２回目の通電制御が再び２分間行なわれる。
【００５５】
そして、この第２強弱パターンに対応した２回目の通電制御が２分間行なわれると、次には第１強弱パターンに対応した３回目の通電制御が１分間行なわれる。そして更に、この第１強弱パターンに対応した３回目の通電制御が１分間行なわれると、次には既述した単調パターンに対応した通電制御が１分間行なわれ、その後、制御回路４８は振動モーター２６への通電を終了する。
【００５６】
したがって、振動モーター２６は、振動強度Ｇが多様に変動する複数種類の振動パターンの組み合わせとなる振動状態で振動することになり、その振動モーター２６から伝達される振動により使用者の目元の肌５０は強弱変化のある刺激を受けてマッサージされる。なお、制御回路４８は、振動モーター２６への通電を各種振動パターンの組み合わせで合計１０分間行なうと、電気的エネルギーの節約及び肌５０の刺激疲れ回避を図るため遮断する。
【００５７】
本実施形態によれば、以下の効果を得ることができる。
（１）ミスト発生機構２５から放出されたミスト（本実施形態では温ミスト）が目元に付着することにより、眼精疲労の一因となる目元の乾燥を抑制することができると共に、目元のキメ向上を図ることができる。また、そればかりでなく、目元に当接する弾性材料からなる当接部材１２を振動させることにより、目元をマッサージして血行の促進を図ることができるので、ミストの供給及び振動の付与という複合的な美容手法により相乗的な美容効果を期待することができる。
【００５８】
（２）当接部材１２において器具１１の装着時に使用者の目の下側の肌５０に当接する当接部位は凸部１７に形成されているため、特に隈ができやすい目の下側の部分を集中的にマッサージして血行促進を図ることができ、隈の解消に大きく貢献できる。
【００５９】
（３）振動モーター２６から当接部材１２への振動伝達経路上には、弾性部材の断熱材３５と可撓性を有する第２ヒーター３４及びアルミ層４１が介在する一方、剛性材料からなる外郭ケース１３は介在していない。そのため、振動モーター２６で発生した振動を、不必要に減衰させることなく、弾力的に程よい振動状態で当接部材１２まで伝達できる。
【００６０】
（４）弾性材料からなる当接部材１２が目元を覆うように器具１１を装着する際には、剛性材料からなる外郭ケース１３で当接部材１２の全体形状をアイマスク形状に保持できると共に、その外郭ケース１３を把持して装着することができる。したがって、器具１１を当接部材１２が目元を適切に覆う状態に装着できる。
【００６１】
（５）振動モーター２６は制御回路４８の通電制御に基づき振動状態が多様に変化するので、その振動によるマッサージ内容も多様なものとなり、より効果的に血行促進などを図った美容効果が期待できる。
【００６２】
（６）振動モーター２６の振動状態は、通電のオン・オフ時間（電圧パルス幅及びパルス間隔）が異なる複数種類の振動パターンの組み合わせで構成されるので、振動パターン毎に変化するマッサージ効果により、心的リラックス効果を生むことが期待できる。
【００６３】
（７）しかも、振動パターンの変化は振動モーター２６に対する通電のオン・オフ時間の切り替えにより対応することができるので、簡単な構成で多様な振動状態を作り出して血行促進やむくみ解消などに繋がる効果的な美容を図ることができる。
【００６４】
（８）また、ミスト発生機構２５では化学的エネルギーによることなく、電源回路４７を介して蓄電池４３から供給される電力的エネルギーを利用してミストを発生させているので、ミストを安定的且つ確実に繰り返し発生させることができる。
【００６５】
（９）また、ミスト発生機構２５においてミスト放出部となる液体保持部材３１の目元側の対向面３１ａと使用者の目元との間にはミストが浮遊しながら移動可能な空間域Ｓが介在するので、発生したばかりのミストが直接的に目元に吹き付けられることはない。したがって、例えばミストが温ミストである場合、水から蒸気化したばかりの高温のミストが直接的に目元に吹き付けられる虞を回避でき、空間域Ｓを移動する過程で適温になった温ミストを目元に供給することができる。
【００６６】
（１０）１回の加熱でミストを発生させた後においては、液体保持部材３１の孔３２内に雑菌の繁殖要因となる水がほとんど残らないため、衛生状態を良好に維持することができる。
【００６７】
（１１）液体保持部材３１には多数の小さな孔３２が形成されているため、表面張力を利用して水を確実に保持させることができる。しかも、嵌合部材１８に対して着脱可能であるため、液体保持部材３１の清掃も簡単に行なうことができる。
【００６８】
（１２）液体保持部材３１の孔３２は、使用者の目元側となる対向面３１ａ側の開口の方が第１ヒーター３０側となる受熱面３１ｂ側の開口よりも小さな開口面積となるように断面テーパー状に形成されている。そのため、各孔３２内に表面張力で保持された水は、第１ヒーター３０により温められた液体保持部材３１との熱交換面積がミストを放出する対向面３１ａ側で広く確保でき、水の蒸気化効率を高めることができるので、温ミストを速やかに発生させることができる。また、例えば使用者が器具１１を仰向きで使用した場合には、使用者の目側に液体保持部材３１に保持された水（液体）が落ちにくい。
【００６９】
（１３）また、液体保持部材３１の孔３２は、器具１１の装着時に使用者の目元と対向する目対向領域３３が孔の形成された数の密な領域となるので、使用者の目元に向けて集中的にミストを供給することができる。
【００７０】
（１４）器具１１を装着したとき、当接部材１２の凹部１５の内面と使用者の目元との間には、鼻梁と対応する箇所でのみ僅かな隙間を介して外部に連通する略閉空間の空間域Ｓが形成され、その空間域Ｓ内にミストが放出される構成になっている。そのため、放出されたミストが外部に漏れてしまうことを抑制でき、目元の美容を図るために目元に対してミストを無駄なく安定的且つ確実に供給することができる。
【００７１】
（１５）また、器具１１を装着したときに使用者の目の下側の肌５０に当接する部位が第２ヒーター３４の加熱により温められるので、隈のできやすい目の下側の肌５０の血行を温熱付与により促進でき、隈の解消などに大きく貢献できる。
【００７２】
（１６）また、当接部材１２は凹部１５の開口縁部１６の周縁部分を含む当接面１４の全体が弾性材料により形成されているので、器具１１の装着時において目元の肌５０に対する密着性を向上することができる。
【００７３】
（１７）また、当接部材１２は、当接面１４を形成する当接面形成部３８の肉厚が薄いために肌５０に対する密着性及び熱伝導効率が良く、第２ヒーター３４から伝わった熱で目元の肌５０を速やかに温めることができる。
【００７４】
（１８）さらに、外郭ケース１３のフック部２０に装着バンド２１を掛けた場合には、装着バンド２１の締め付け力により、器具１１を当接部材１２における当接面１４、凸部１７及び開口縁部１６が目元側の対応する肌５０の各部分に密着した状態にできる。
【００７５】
なお、上記実施形態は以下のような別の実施形態に変更してもよい。
・上記実施形態において、液体保持手段を構成する液体保持部材は、図１４（ａ）に示す液体保持部材１３１に置換してもよい。すなわち、この液体保持部材１３１は、表面の全体に亘って孔３２が万遍なく均一に形成されている。つまり、孔３２の形成された数が密の領域と粗の領域とが区画形成されていない。このように構成しても、多数の孔３２が形成されているので、表面張力で水を保持することができる。
【００７６】
・上記実施形態において、液体保持手段を構成する液体保持部材は、図１４（ｄ）に示す液体保持部材２３１に置換してもよい。この液体保持部材２３１は、図１４（ｂ）に示す孔形成部材２３２と、図１４（ｃ）に示す液体貯留部材２３３とを有している。孔形成部材２３２には表面張力で水を保持可能な多数の孔３２が形成される一方、液体貯留部材２３３には孔形成部材２３２が重合されたときに孔３２に供給する水を貯留可能な液体貯留部２３３ａが凹設されている。また、液体貯留部材２３３には孔形成部材２３２を着脱可能に組み付けるためのヒンジ部２３３ｂが形成されている。そして、このヒンジ部２３３ｂを介して液体貯留部材２３３に孔形成部材２３２が重なるように組み付けられることにより図１４（ｄ）に示す液体保持部材２３１が形成されるようになっている。この構成によれば、液体貯留部材２３３の液体貯留部２３３ａに水を供給すればよいので、多数の孔３２に対して直接に水を供給する場合に比して水の供給を簡単に行なうことができる。
【００７７】
・上記実施形態において、制御回路４８は振動モーター２６の振動状態を図１５（ａ）〜（ｄ）に示す複数種類の振動パターンの組み合わせとなるように制御しても良い。
なお、図１５（ａ）は、振動モーター２６の振動状態が、第１強弱パターン、第２強弱パターン、第３強弱パターン、及び強弱変化のない単調パターン（パルス周期：１ｓｅｃ、パルス幅：５０ｍｓｅｃ）との組み合わせであることを示している。また、図１５（ｂ）は第１強弱パターンの場合のパルス挙動Ｐと、そのパルス挙動Ｐにより変動する振動強度Ｇの経時的変化を示し、図１５（ｃ）は第２強弱パターンの場合のパルス挙動Ｐと、そのパルス挙動Ｐにより変動する振動強度Ｇの経時的変化を示している。さらに、図１５（ｄ）は第３強弱パターンの場合のパルス挙動Ｐと、そのパルス挙動Ｐにより変動する振動強度Ｇの経時的変化を示している。
【００７８】
さて、この別の実施形態では、第２スイッチ２４がオン操作されると、制御回路４８が電源回路４７を制御し、振動モーター２６に対する通電のオン・オフ時間（電圧パルス幅及びパルス間隔）が次のように制御される。すなわち、図１５（ａ）に示すように、まず第１強弱パターンの振動状態となるように、電源回路４７から振動モーター２６に供給される電圧のパルス挙動Ｐが制御される。具体的には、図１５（ｂ）に示すように、パルス間隔が２５０ｍｓｅｃであって、各パルスのパルス幅が最初は狭いが途中で広くなって最後は最初と同様に狭くなるという繰り返しで、振動強度Ｇがゆっくりと強弱変化するパルス挙動Ｐに制御される。
【００７９】
そして、図１５（ｂ）に示す第１強弱パターンに対応した通電制御を２分間行なうと、次には、第２強弱パターンの振動状態となるように、電源回路４７から振動モーター２６に供給される電圧のパルス挙動Ｐが制御される。具体的には、図１５（ｃ）に示すように、パルス間隔が１００ｍｓｅｃであって、各パルスのパルス幅が最初は狭いが途中で広くなって最後は最初と同様に狭くなるという繰り返しで、振動強度Ｇが早めに小さく強弱変化するパルス挙動Ｐに制御される。
【００８０】
そして、この第２強弱パターンに対応した通電制御が２．５分間行なわれると、次には第３強弱パターンの振動状態となるように、電源回路４７から振動モーター２６に供給される電圧のパルス挙動Ｐが制御される。具体的には、図１５（ｄ）に示すように、パルス間隔が１２５ｍｓｅｃであって、各パルスのパルス幅が最初は狭いが途中で広くなって最後は最初と同様に狭くなるという繰り返しで、振動強度Ｇがゆっくりと大きく強弱変化するパルス挙動Ｐに制御される。
【００８１】
そして更に、この第３強弱パターンに対応した通電制御が２．５分間行なわれると、次には第１強弱パターンに対応した２回目の通電制御が再び２分間行なわれる。そして、この第１強弱パターンに対応した２回目の通電制御が２分間行なわれると、次には既述した単調パターンに対応した通電制御が１分間行なわれ、その後、制御回路４８は振動モーター２６への通電を終了する。
【００８２】
したがって、この別の実施形態においても、振動モーター２６は、振動強度Ｇが多様に変動する複数種類の振動パターンの組み合わせとなる振動状態で振動することになり、その振動モーター２６から伝達される振動により使用者の目元の肌５０に対して強弱変化のあるマッサージを施すことができる。なお、制御回路４８は、振動モーター２６への通電を各種振動パターンの組み合わせで合計１０分間行なうと、電気的エネルギーの節約及び肌５０の刺激疲れ回避を図るため遮断する。
【００８３】
・上記実施形態において、図１６に示すように、器具１１内の制御回路４８にケーブル５１を介して接続された脈拍センサ５２を備え、器具１１の装着時には使用者の耳たぶ等に脈拍センサ５２を接触させて心臓の鼓動を検出するようにしてもよい。そして、心臓の鼓動と同期させるように、振動モーター２６の振動状態をフィードバック制御することにより、使用者が違和感を感じることが無く、リラックスできる振動を目元の肌５０に付与することができるようになる。
【００８４】
・上記実施形態において、液体保持手段は、液体（水）を吸収保持可能な吸収材により構成された液体保持部材としてもよい。この場合、その液体保持部材は、十分な液体量を保持でき、また熱が付与された場合に保持した液体をミスト化できるものであれば、特に材質は限定されない。例えば、パルプ、麻、絹、獣毛等の天然繊維、ポリエステル、レーヨン、アセテート、アクリル、ナイロン、ビニロン、ポリエチレン、ポリプロピレン、ポリ塩化ビニル等の人工繊維、それらの天然繊維か人工繊維から選ばれた１種又は２種以上を混合した繊維集合体（織布、フェルト、不織布）であってもよい。
【００８５】
・上記実施形態において、液体保持手段は、液体（水）を表面張力によって保持可能なメッシュ部材（材質は、ポリエステル、ナイロン、アクリル、ビニロン、ポリエチレン、ポリプロピレン、ポリ塩化ビニル等。）が積層された構成であってもよい。換言すると、貫通形成された孔の大きさが異なる複数の液体保持部材（メッシュ部材）が互いに形成された孔同士を連通させるように積層された構造であってもよい。このように構成した場合には、水に接触する孔内面の全表面積が増加するので、水を保持するための表面張力を強くすることができる。さらに、この場合は、メッシュ開口の大きな液体保持部材（メッシュ部材）の方を目元側に配置し、メッシュ開口の小さな液体保持部材（メッシュ部材）の方を第１ヒーター３０側に配置するとよい。そうすると、小さなメッシュ開口により水をたくさん保持しているメッシュ部材の方に第１ヒーター３０からの熱を直接に付与でき、ミスト化を促進することができる。
【００８６】
・上記実施形態において、液体保持手段は、吸湿性の化学物質（例えばシリカゲル、給水ポリマー、バーミュキュライト、ケイ酸カルシウム、シリカ系多孔性物質、アルミナ、パルプ、木粉など）、多孔質又は多数の孔が形成された成型品であってもよい。
【００８７】
・上記実施形態において、液体保持部材３１に保持される液体は、水（水道水、蒸留水、イオン交換水等の主成分がＨ２Ｏであるもの）、また、水に美容剤が含まれているもの（化粧水、美容液など）でもよい。
【００８８】
・上記実施形態において、ミスト発生機構２５は、第１ヒーター３０の代わりに電気的エネルギーにより形状が変化する圧電素子等の振動発生部材を備え、その振動発生部材が発生させた振動等の物理的変化によって液体をミスト化するようにしてもよい。
【００８９】
・上記実施形態において、第１ヒーター（加熱手段、ミスト生成手段）３０及び第２ヒーター（熱付与手段）３４をＰＴＣ（Positive temperature coefficient）素子により構成してもよい。この場合、ＰＴＣ素子は、素子の特性上、自己発熱し過ぎることがないため過熱抑制を図ることができる。
【００９０】
・上記実施形態において、ミスト発生機構２５内における温度を検知する温度検知手段（例えばＮＴＣ（Negative temperature coefficient）素子など）を備え、その温度検知結果をフィードバックすることにより、良好なミスト発生状態を作り出すようにしてもよい。
【００９１】
・上記実施形態において、温度の過昇防止装置（例えば温度ヒューズなど）を備えてもよい。この場合は、制御回路４８が制御不能になった場合でも、過昇防止装置が温度の上がり過ぎを検知して、電力供給を遮断するので、器具１１が過熱することを回避できる。
【００９２】
・上記実施形態において、第１ヒーター（加熱手段、ミスト生成手段）３０及び第２ヒーター（熱付与手段）３４を、ペルチェ素子などの温度可変部材で構成してもよい。この場合には、温ミストの供給ばかりでなく、冷ミストの供給も可能となり、使用者の好みに応じた対応が可能となる。
【００９３】
・上記実施形態において、ミスト生成手段は、加熱手段として機能する第１ヒーターによって構成する以外に、例えば超音波振動子と超音波振動子に接続されたホーンからなる超音波式のミスト生成手段であってもよい。
【００９４】
・上記実施形態において、熱拡散部材としてのアルミ層４１は、アルミ箔、銅箔などで置換してもよく、更には石英材やカーボン（熱伝導性の高いもの）を含んだ樹脂材も使用可能である。
【００９５】
・上記実施形態において、振動手段は、振動モーター２６に代えて、圧電素子、磁性流体、回転駆動体、エアーポンプなどの物理的刺激発生体を備え、これらによる物理的刺激を目元の肌５０に付与してマッサージ効果を得るようにしてもよい。
【００９６】
・上記実施形態において、当接部材１２の材質は、ゴムなどの弾性材料に限らず、スポンジなどの発泡成形体、布、エラストマーなどで代用してもよい。
・上記実施形態において、目の周囲への温熱付与は、温められた当接部材１２の当接面１４を当接させる方法に代えて、目元の肌５０へ非接触で熱を付与する構成であってもよい。例えば、光エネルギーや、遠赤外線、近赤外線等による輻射熱で肌５０に熱を付与するようにしてもよい。この場合、光エネルギーでは、同時に光での美肌作用、遠赤外線では肌深部への熱浸透でより高い血行促進効果が期待できる。但し、非接触で光エネルギー等による熱を付与する場合は、目の眼部への光の進入を防止するために光を遮蔽する遮蔽部材を設けることが好ましい。
【００９７】
・上記実施形態において、振動モーター２６は一種類の振動パターンで振動するものであってもよい。
・上記実施形態において、振動モーター２６からの振動は、当接部材１２における使用者の目の下側の肌５０に対する当接部位だけに伝達される構成であってもよい。
【００９８】
・上記実施形態において、液体保持部材３１の孔３２は、対向面３１ａ側と受熱面３１ｂ側の開口径が同じであってもよい。
・上記実施形態において、当接部材１２は凹部１５の開口縁部１６の一部が凸部１７に形成されていなくてもよい。
【符号の説明】
【００９９】
１１…目元用美容器具、１２…当接部材、１３…外郭ケース（変形規制部材）、１４…当接面、１５…凹部、１６…開口縁部、１７…凸部、２１…装着バンド（固定部材）、２５…ミスト発生機構（ミスト発生手段）、２６…振動モーター（振動手段）、３０…第１ヒーター（加熱手段、ミスト生成手段）、３１…液体保持部材（液体保持手段）、３１ａ…対向面（ミスト放出部）、３２…孔、３４…第２ヒーター（熱付与手段）、３５…断熱材（弾性部材）、４８…制御回路（制御手段）、５０…肌、１３１…液体保持部材（液体保持手段）、２３１…液体保持部材（液体保持手段）、２３３…液体貯留部材、２３３ａ…液体貯留部、Ｓ…空間域。
【図１】
0005395741.tif 000002
【図２】
0005395741.tif 000003
【図３】
0005395741.tif 000004
【図４】
0005395741.tif 000005
【図５】
0005395741.tif 000006
【図６】
0005395741.tif 000007
【図７】
0005395741.tif 000008
【図８】
0005395741.tif 000009
【図９】
0005395741.tif 000010
【図１０】
0005395741.tif 000011
【図１１】
0005395741.tif 000012
【図１２】
0005395741.tif 000013
【図１３】
0005395741.tif 000014
【図１４】
0005395741.tif 000015
【図１５】
0005395741.tif 000016
【図１６】
0005395741.tif 000017